(57)【要約】      （修正有）【課題】暗い場所でも使用者が見ることができ、且つ、内部に設けた発光ダイオードの色の変化を利用し、該万華鏡の図案の変化をより美しくし、該製品の実用性と効果を増進した、万華鏡の提供。【解決手段】万華鏡の反射室３０の一端を後方へ向かって延伸して彩光部５０を設け、該彩光部は１つ以上のカラー発光ダイオード（LED）５１、回路板５２及び電池５３を含み、そのうち、該発光ダイオードは後方から前方に向かって該彩光部と反射室の間に位置する可変式オブジェクトを照射し、且つ、該発光ダイオード（LED）は回路板上の集積回路（IC）により制御されて異なる色の光を発光したり、点滅したりすることを特徴とする。【選択図】図１
0003108162.tif 000002
【実用新案登録請求の範囲】
【請求項１】
主に筒体の一端に設けたウィンドウと、別の一端に設けた３片以上のミラーを囲むように設置して成る反射室と、可変式のオブジェクトを含んで構成され、光線が反射室外端から照射され、該端のオブジェクトが変動するとき、ウィンドウから美しい図案の変化を見ることができる万華鏡であって、そのうち、該万華鏡の反射室の一端を後方へ向かって延伸して彩光部を設け、該彩光部は1つ以上のカラー発光ダイオードと、回路板及び電池を含み、そのうち、該発光ダイオードは後方から前方へ向かって該彩光部と反射室の間に設置された該可変式オブジェクトを照射し、且つ、該発光ダイオードが回路板上の集積回路により制御され、異なる光の色の変化と点滅を行うことを特徴とする万華鏡。  
【請求項２】
前記のうち、該反射室と彩光部の間に透明筒体を設け、該透明筒体上に透明ローラーを軸設し、該透明ローラー内にオブジェクトを設けた、請求項1に記載の万華鏡。
【請求項３】
前記のうち、該反射室と彩光部の間に透明筒体を設け、該透明筒体上に透明管体を軸設し、該透明管体内にオブジェクトを設けた、請求項１に記載の万華鏡。
【考案の詳細な説明】
【技術分野】
【０００１】
本考案は万華鏡に関し、特に、光線がない場所でも見ることができ、且つ、その図案の色彩変化の效果を増進することができる万華鏡に関する。
【背景技術】
【０００２】
従来の万華鏡は、その使用時に光線のある場所に向かって持ち、該光源を反射室端に設けたオブジェクトに照射してはじめてその内部に生まれた図案を見ることができる。このため、該従来の万華鏡の構造は使用上の制限があり、この欠点は改良の必要がある。
【考案の開示】
【考案が解決しようとする課題】
【０００３】
本考案は、従来の万華鏡の構造における使用上の欠点を改善するため、考案者個人の該項事業における長年の経験に基づき研究を重ね、斬新な万華鏡の改良構造を提供するものである。
【０００４】
本考案の主な目的は、暗い場所でも使用者が見ることができ、且つ、内部に設けた発光ダイオードの色の変化を利用し、該万華鏡の図案の変化をより美しくし、該製品の実用性と効果を増進した、万華鏡を提供することにある。
【課題を解決するための手段】
【０００５】
上述の目的を達するため、本考案は、該万華鏡の反射室の一端を後方へ向かって延伸して彩光部を設け、該彩光部は１つ以上のカラー発光ダイオード（LED）、回路板及び電池を含み、そのうち、該発光ダイオードは後方から前方に向かって該彩光部と反射室の間に位置する可変式オブジェクトを照射し、且つ、該発光ダイオード（LED）は回路板上の集積回路（IC）により制御されて異なる色の光を発光したり、点滅したりすることを特徴とする。
【考案の効果】
【０００６】
上述の構造を組み立てて使用するとき、本考案の構造によれば、暗い場所で使用することができるだけでなく、回路板のIC制御によりカラーLEDの発光色を変化させ、照射されるオブジェクトに光の混合変色効果を与え、該万華鏡の図案の変化を増進することができる。        
【考案を実施するための最良の形態】
【０００７】
本考案の万華鏡の構造上の特徴と効果についてより理解を深めるため、以下、最良の実施例と図面に基づき詳細に説明する。
【実施例１】
【０００８】
まず、図１及び図２に示すように、本考案の万華鏡は、主に筒体１０の一端に設けたウィンドウ２０と、別の一端に設けた３片以上のミラー３１を囲むように設置して成る反射室３０と、可変式オブジェクト４０から構成され、光線が反射室３０の外端から照射され（図中の矢印が示す方向）、該反射室３０後端に設置されたオブジェクト４０を変動（または流動）させると、ウィンドウ２０から万華鏡内の反射図案のさまざまな変化を見ることができ、美しい視覚的変化を楽しむことができるものである。
【０００９】
そのうち、該万華鏡の反射室３０の一端を後方へ向かって延伸して彩光部５０を設け、該彩光部５０は主に1つ以上のカラー発光ダイオード５１、回路板５２及び電池５３から構成される（図３に示す）。そのうち、該発光ダイオード（LED）５１は、後方から前方に向かって該彩光部５０と反射室３０の間に設置された可変式オブジェクト４０（該可変式オブジェクトの構造は、本考案の図面に示す構造やスタイルに限らない）を照射し、且つ、該発光ダイオード５１は回路板５２上の集積回路（IC）５２１により制御され、異なる色の光を発したり、点滅したりすることを特徴とする。
【００１０】
上述の構造を組み立てて使用するとき、本考案の万華鏡はそのものが発光構造を備えているため、暗い場所でも使用することができるだけでなく、回路板５２内の集積回路５２１がカラー発光ダイオード５１の発光色を制御して変化させ、照射を受けるオブジェクト４０に光の混合変色効果を与え、該万華鏡の図案の変化を増進し、該製品の新奇性、おもしろさ及び市場における競争力を向上することができる。
【００１１】
図１及び図２に示すように、本考案は該実施例において、該反射室３０と彩光部５０の間に透明筒体６０を設けており、該透明筒体６０内に透明ローラー６１を軸設し、さらに、該透明ローラー６１内に上述のオブジェクト４０（同時に流体を充填してもよい）を入れる。これにより、その使用時には、透明ローラー６１を回転させることでオブジェクト４０に不規則な変化または流動を発生させ、さらに、外界の光線またはその後端の彩光部５０が照射する光線を利用することにより、使用者が筒体１０内の図案の変化を見ることができる。
【実施例２】
【００１２】
また、図４に本考案の別の実施例を示す。そのうち、反射室３０と彩光部５０の間の透明筒体６０上に、透明管体６２を穿通して設け、該透明管体６２の内部にオブジェクト４０（同時に流体を充填してもよい）を入れ、該透明管体６２を回動または回転させて角度を変えることで、同様に前述同様の効果と目的を達することができる。
【００１３】
上述のように、本考案の構造はこれまでにないものであり、且つ、確実に使用効果を増進するという目的を達することができ、本考案の構造は実用新案登録出願の要件に符合するため、法に基づきここに出願を提出するものである。
【図面の簡単な説明】
【００１４】
【図１】本考案の万華鏡の立体分解図である。
【図２】図１の実施例の立体透視図である。
【図３】本考案の彩光部の回路を示す簡易回路図である。
【図４】本考案の別の実施例の立体透視図である。
【符号の説明】
【００１５】
１０      筒体
２０      ウィンドウ
３０      反射室
４０      オブジェクト
５０      彩光部
６０      透明筒体
５１      発光ダイオード
５２      回路板
５３      電池
５２１    集積回路
６１      透明ローラー
６２      透明管体
【図１】
0003108162.tif 000003
【図２】
0003108162.tif 000004
【図３】
0003108162.tif 000005
【図４】
0003108162.tif 000006